(57)【要約】【課題】海苔養殖網のずれを直すことができ、人件費の削減を図ることができる海苔養殖網の養生処理装置を提供する。【解決手段】回転ドラム１２が、処理槽１１との間に海苔養殖網１を通す間隙をあけて、処理槽１１の開口部に処理槽１１に沿って配置されている。第１牽引部材１３が海苔養殖網１の一方のロープと係合し、第２牽引部材１４が他方のロープと係合して、それぞれ回転により処理槽１１内に牽引可能である。第１モータ１５が回転ドラム１２および第１牽引部材１３を、第２モータ１６が第２牽引部材１４を回転可能である。速度操作部１７が、第２牽引部材１４の回転速度を調節可能である。ガイドロール１８が、回転ドラム１２と平行に配置されている。ガイドロール１８は、周囲に海苔養殖網１の各ロープのガイド部１８ａを有し、各ガイド部１８ａの両側周囲にロープをガイド部１８ａへと案内する螺旋山部１８ｂを有している。【選択図】図１
2006246825.tif 000002
【特許請求の範囲】
【請求項１】
少なくとも２本のロープの間に網を張って成る海苔養殖網で養殖する海苔を養生処理するための海苔養殖網の養生処理装置であって、
前記海苔養殖網の幅以上の幅を有する処理槽と、
前記処理槽との間に海苔養殖網を通す間隙をあけて前記処理槽の開口部に前記処理槽に沿って配置された回転ドラムと、
前記ロープの１本と係合して回転により前記処理槽内に牽引可能な第１ガイド溝を有する第１牽引部材と、
前記ロープの他の１本と係合して回転により前記処理槽内に牽引可能な第２ガイド溝を有する第２牽引部材と、
前記回転ドラムおよび前記第１牽引部材を回転可能に設けられた第１モータと、
前記第２牽引部材を回転可能に設けられた第２モータと、
前記第２牽引部材の回転速度を調節可能な速度操作部とを、
有することを特徴とする海苔養殖網の養生処理装置。
【請求項２】
ガイドロールを有し、前記ガイドロールは回転可能であって前記回転ドラムの上流側に前記回転ドラムと平行に配置され、周囲に海苔養殖網の各ロープのガイド部を有し、各ガイド部の両側周囲にロープをガイド部へと案内する螺旋山部を有することを、
特徴とする請求項１記載の海苔養殖網の養生処理装置。
【請求項３】
伸縮装置と連結手段とを有し、
前記回転ドラムは一端を昇降可能に他端が前記処理槽で支持され、
前記伸縮装置は前記処理槽に固定された基部と、前記基部に対し伸縮可能に設けられて前記回転ドラムの上方に伸びる伸縮部とを有し、
前記連結手段は一端が前記回転ドラムの一端に取り付けられ、他端が前記伸縮部の伸縮に応じて前記回転ドラムの一端側が昇降するよう前記伸縮部に取り付けられていることを、
特徴とする請求項１または２記載の海苔養殖網の養生処理装置。
【発明の詳細な説明】
【技術分野】
【０００１】
本発明は、海苔養殖網で養殖する海苔を養生処理するための海苔養殖網の養生処理装置に関する。
【背景技術】
【０００２】
従来の海苔養殖網の養生処理装置として、処理剤を入れた処理槽と、処理槽の開口部に処理槽に沿って配置された回転ドラムと、回転ドラムを回転駆動するモータとを有し、海苔養殖網のロープを回転ドラムに係合させ、モータにより回転ドラムを回転させることにより、海苔養殖網を処理槽の内部に送り、処理剤で養生処理するものが、本発明者により開発されている（特許文献１参照）。
【０００３】
【特許文献１】特許第２８２２３２２号公報
【発明の開示】
【発明が解決しようとする課題】
【０００４】
しかしながら、特許文献１に記載の海苔養殖網の養生処理装置では、回転とともに回転ドラムに対して海苔養殖網の位置が徐々にずれるという問題があった。特に、波が高いときや、風が強いときには、海苔養殖網の位置はずれやすい。海苔養殖網の位置がずれ過ぎると、海苔養殖網の牽引ができなくなる。このため、回転ドラムの両端付近に作業員をそれぞれ配置してずれを直す必要があり、作業員の人件費が嵩むという課題があった。
【０００５】
本発明は、このような従来の課題に着目してなされたもので、海苔養殖網のずれを直すことができ、人件費の削減を図ることができる海苔養殖網の養生処理装置を提供することを目的とする。
【課題を解決するための手段】
【０００６】
上記目的を達成するために、本発明に係る海苔養殖網の養生処理装置は、少なくとも２本のロープの間に網を張って成る海苔養殖網で養殖する海苔を養生処理するための海苔養殖網の養生処理装置であって、前記海苔養殖網の幅以上の幅を有する処理槽と、前記処理槽との間に海苔養殖網を通す間隙をあけて前記処理槽の開口部に前記処理槽に沿って配置された回転ドラムと、前記ロープの１本と係合して回転により前記処理槽内に牽引可能な第１ガイド溝を有する第１牽引部材と、前記ロープの他の１本と係合して回転により前記処理槽内に牽引可能な第２ガイド溝を有する第２牽引部材と、前記回転ドラムおよび前記第１牽引部材を回転可能に設けられた第１モータと、前記第２牽引部材を回転可能に設けられた第２モータと、前記第２牽引部材の回転速度を調節可能な速度操作部とを、有することを特徴とする。
【０００７】
本発明に係る海苔養殖網の養生処理装置は、船の上に乗せて使用される。海苔養殖網の養生処理を行う場合、処理槽に処理剤を入れ、処理槽と回転ドラムとの間隙に海苔養殖網を通す。このとき、海苔養殖網が処理剤に浸るよう、処理剤を入れておく。第１牽引部材の第１ガイド溝に１本のロープを係合させ、第２牽引部材の第２ガイド溝に他の１本のロープを係合させる。第１モータを回転させて回転ドラムおよび第１牽引部材を回転させ、第２モータを回転させて第２牽引部材を回転させる。このとき、第１牽引部材の回転とともに一方のロープが牽引され、第２牽引部材の回転とともに他方のロープが牽引される。それにより、海苔養殖網が回転ドラムの回転とともに処理槽の内部に送られて、処理剤で養生処理される。
【０００８】
作業中、特に波が高いときや風が強いときなど、回転とともに回転ドラムでの海苔養殖網の位置が徐々にずれやすい。このとき、速度操作部を操作して第２牽引部材の回転速度を調節することにより、係合するロープの牽引速度を変えて海苔養殖網のずれを直すことができる。このため、従来ずれを直すために回転ドラムの両端付近に配置していた作業員が不要となり、その人件費の削減を図ることができる。
【０００９】
第１モータおよび第２モータは、好適には油圧モータから成る。速度操作部は、第２モータの回転速度を無段階で連続的に調節可能であって、第２モータの回転方向を反転可能であることが好ましい。第１モータ、第２モータおよび速度操作部は、一体化されていることが好ましい。この場合、第１モータの駆動、第２モータの駆動および回転速度の調節を一箇所で行うことができるため、各操作を効率的に行うことができ、駆動状態の管理が容易である。
【００１０】
本発明に係る海苔養殖網の養生処理装置は、ガイドロールを有し、前記ガイドロールは回転可能であって前記回転ドラムの上流側に前記回転ドラムと平行に配置され、周囲に海苔養殖網の各ロープのガイド部を有し、各ガイド部の両側周囲にロープをガイド部へと案内する螺旋山部を有することが好ましい。このガイドロールを有する構成では、ガイドロールに海苔養殖網を載せ、各ガイド部に各ロープを位置付ける。その状態で、ガイドロールの下流で第１牽引部材および第２牽引部材により海苔養殖網を牽引する。各ロープが各ガイド部からずれると、螺旋山部の回転とともに各ロープを各ガイド部へと案内して元の位置に戻すことができる。このため、海苔養殖網がずれにくく、養生処理の作業効率を高めることができる。なお、ガイドロールは、回転ドラムと同じ方向に回転することが好ましい。
【００１１】
さらに、本発明に係る海苔養殖網の養生処理装置は、伸縮装置と連結手段とを有し、前記回転ドラムは一端を昇降可能に他端が前記処理槽で支持され、前記伸縮装置は前記処理槽に固定された基部と、前記基部に対し伸縮可能に設けられて前記回転ドラムの上方に伸びる伸縮部とを有し、前記連結手段は一端が前記回転ドラムの一端に取り付けられ、他端が前記伸縮部の伸縮に応じて前記回転ドラムの一端側が昇降するよう前記伸縮部に取り付けられていることが好ましい。
【００１２】
この伸縮装置と連結手段とを有する構成では、処理槽と回転ドラムとの間隙に海苔養殖網を通すとき、まず、伸縮装置の伸縮部を縮め、連結手段を介して回転ドラムの一端を上昇させる。このとき、処理槽と回転ドラムとの間隙が拡がるため、その間隙に海苔養殖網を容易に配置することができる。その間隙に海苔養殖網を配置したならば、伸縮装置の伸縮部を伸ばし、連結手段を介して回転ドラムの一端を下降させ、回転ドラムをセットする。こうして、処理槽と回転ドラムとの間隙に海苔養殖網を容易に通して、養生処理作業を開始することができる。
【発明の効果】
【００１３】
本発明によれば、海苔養殖網のずれを直すことができ、人件費の削減を図ることができる海苔養殖網の養生処理装置を提供することができる。
【発明を実施するための最良の形態】
【００１４】
以下、図面に基づき、本発明の実施の形態について説明する。
図１乃至図４は、本発明の実施の形態の海苔養殖網の養生処理装置を示している。
図１乃至図４に示すように、海苔養殖網の養生処理装置１０は、処理槽１１と回転ドラム１２と第１牽引部材１３と第２牽引部材１４と第１モータ１５と第２モータ１６と速度操作部１７とガイドロール１８と伸縮装置１９と連結手段２０とを有している。海苔養殖網１は、長さ方向に平行に伸びる３本のロープの間に網を張って形成されている。
【００１５】
図１乃至図３に示すように、処理槽１１は、細長い半円筒状の容器から成り、半円筒面の底部１１ａと、底部１１ａの両端に設けられた側壁部１１ｂとを有している。処理槽１１は、底部１１ａに支持脚１１ｃを有している。処理層１１は、一方の側壁部１１ｂの上端中央にシャフト用切欠１１ｄが設けられている。処理槽１１の内部は、海苔養殖網１の幅以上の長さとなっている。
【００１６】
回転ドラム１２は、シャフト２１と１対の円板部材２２ａ，２２ｂと５つのリング２３と６本のフレーム材２４とを有している。シャフト２１は、一端２１ａの側の周囲に固定された第１パイプ材２１ｃと、他端２１ｂの側の周囲に回転可能に設けられた第２パイプ材２１ｄとを有している。各円板部材２２ａ，２２ｂは、中心がシャフト２１に貫通されて、それぞれシャフト２１の両端２１ａ，２１ｂに、互いに平行に配置されている。各リング２３は、各円板部材２２ａ，２２ｂの径とほぼ同じ径を有し、シャフト２１を中心にして各円板部材２２ａ，２２ｂの間に平行に等間隔で配置されている。各フレーム材２４は、各円板部材２２ａ，２２ｂおよび各リング２３を連結するよう、各円板部材２２ａ，２２ｂの対向する面および各リング２３の周囲に等間隔で固定されている。各フレーム材２４は、両端部が各円板部材２２ａ，２２ｂに固定されている。
【００１７】
図１乃至図３に示すように、回転ドラム１２は、処理槽１１との間に海苔養殖網１を通す間隙をあけて、処理槽１１の開口部に処理槽１１に沿って配置されている。回転ドラム１２は、下部が処理槽１１の内部に位置している。図１、図２および図４に示すように、回転ドラム１２は、シャフト２１の一端２１ａが処理槽１１のシャフト用切欠１１ｄに設けられた軸受で回転可能に支持され、固定ピン２５により上下動を拘束されている。シャフト２１の他端２１ｂは、処理槽１１に設けられた軸受２６により回転可能かつ上下動可能に支持されている。これにより、回転ドラム１２は、シャフト２１の一端２１ａが昇降可能となっている。
【００１８】
図１および図２に示すように、第１牽引部材１３は、回転ドラム１２の各円板部材２２ａ，２２ｂと同径の短い円筒状である。第１牽引部材１３は、回転ドラム１２のシャフト２１により中心を貫通され、円板部材２２ａに隣接してシャフト２１の第１パイプ材２１ｃに固定されている。第１牽引部材１３は、処理槽１１の開口部に配置され、下部が処理槽１１の内部に位置している。第１牽引部材１３は、円板部材２２ａ側の端部の外周に第１ガイド溝１３ａを有している。第１ガイド溝１３ａは、海苔養殖網１の外側のロープの一方と係合して、回転により処理槽１１の内部に海苔養殖網１を牽引可能に構成されている。
【００１９】
図１および図２に示すように、第２牽引部材１４は、第１牽引部材１３と同様に、回転ドラム１２の各円板部材２２ａ，２２ｂと同径の短い円筒状である。第２牽引部材１４は、回転ドラム１２のシャフト２１により中心を貫通され、円板部材２２ｂに隣接してシャフト２１の第２パイプ材２１ｄに固定されている。第２牽引部材１４は、処理槽１１の開口部に配置され、下部が処理層１１の内部に位置している。第２牽引部材１４は、円板部材２２ｂ側の端部の外周に第２ガイド溝１４ａを有している。第２ガイド溝１４ａは、海苔養殖網１の外側のロープの他方と係合して、回転により処理槽１１の内部に海苔養殖網１を牽引可能に構成されている。
【００２０】
図１に示すように、第１モータ１５は、油圧モータから成っている。第１モータ１５は、回転軸がシャフト２１の他端２１ｂに接続され、処理槽１１の外側に取り付けられている。第１モータ１５は、シャフト２１とともに第１パイプ材２１ｃを介して回転ドラム１２および第１牽引部材１３を回転可能となっている。
【００２１】
図１に示すように、第２モータ１６は、油圧モータから成っている。第２モータ１６は、第１モータ１５の近くで処理槽１１の外側に取り付けられている。第２モータ１６の回転軸２７は、シャフト２１と平行に第２牽引部材１４付近まで伸びている。第２モータ１６は、回転軸２７と第２パイプ材２１ｄの周囲に固定されたスプロケット２８ａとに、巻き掛け伝動チェン２８ｂを巻き付け、その回転軸２７の回転により巻き掛け伝動チェン２８ｂを介して第２パイプ材２１ｄおよび第２牽引部材１４を回転可能となっている。第２牽引部材１４は、シャフト２１とは独立して回転する。
【００２２】
図１に示すように、速度操作部１７は、レバー式であって、油圧ポンプを有し、第１モータおよび第２モータ１６に接続されている。速度操作部１７により、第２モータ１６の回転速度を無段階で連続的に調節可能であり、その回転方向を反転することも可能である。
【００２３】
図１および図３に示すように、ガイドロール１８は、処理槽１１に沿って回転ドラム１２の上流側に回転ドラム１２と平行に配置されている。ガイドロール１８は、ロール用油圧モータ１８ｃを有し、速度操作部１７の油圧ポンプに接続されて、回転ドラム１２の回転とともに回転ドラム１２と同じ方向に回転可能となっている。ガイドロール１８は、両端の周囲にガイド部１８ａを有し、各ガイド部１８ａの両側周囲に螺旋山部１８ｂを有している。ガイド部１８ａは、螺旋山部１８ｂの間のスペースから成っている。螺旋山部１８ｂは、ガイド部１８ａが回転方向前方で後方より広くなるよう傾斜している。各ガイド部１８ａは、海苔養殖網１の各ロープがそれぞれ第１ガイド溝１３ａおよび第２ガイド溝１４ａに係合されて海苔養殖網１が広げられるよう、第１ガイド溝１３ａおよび第２ガイド溝１４ａに対応する位置に設けられている。なお、各ガイド部１８ａは、海苔養殖網１の中央のロープに対応する位置にも設けられていてもよい。各螺旋山部１８ｂは、回転とともに海苔養殖網１の各ロープをガイド部１８ａから第１ガイド溝１３ａおよび第２ガイド溝１４ａへと案内し、ガイド部１８ａから外側または内側にずれたとき、ロープを螺旋に沿ってガイド部１８ａへと戻すようになっている。
【００２４】
図４に示すように、伸縮装置１９は、基部３０と伸縮部３０ａとを有し、支持アーム２９に固定されている。支持アーム２９は、シャフト２１の他端２１ｂの側で処理槽１１に取り付けられている。支持アーム２９は、処理槽１１から上方に垂直に伸びる柱部２９ａと、柱部２９ａの上端から回転ドラム１２の上方に、上向きに傾斜して伸びるアーム部２９ｂと、アーム部２９ｂの先端に設けられた滑車２９ｃとを有している。伸縮装置１９は、伸縮部３０ａがアーム部２９ｂに長さ方向に沿って固定されている。伸縮部３０ａは、アーム部２９ｂに沿って基部３０に対し伸縮可能に設けられ、アーム部２９ｂの先端方向に伸びるようになっている。
【００２５】
図４に示すように、連結手段２０は、ワイヤロープから成り、一端２０ａがシャフト２１の一端２１ａに取り付けられている。連結手段２０は、伸縮部３０ａの伸縮に応じてシャフト２１の一端２１ａの側が昇降するよう、他端２０ｂが滑車２９ｃを介して伸縮部３０ａの先端に取り付けられている。
【００２６】
次に、作用について説明する。
海苔養殖網の養生処理装置１０は、船の上に乗せて使用される。図３に示すように、海苔養殖網１の養生処理を行う場合、まず、処理槽１１に処理剤２を入れる。処理剤２は、海苔養殖網１が十分に浸るように満たしておく。処理剤２は、海苔養殖用の処理液から成る。固定ピン２５を外し、伸縮装置１９の伸縮部３０ａを縮め、連結手段２０を介してシャフト２１の一端２１ａを上昇させる。処理槽１１と回転ドラム１２との間隙が拡がったならば、その間隙に海苔養殖網１を通す。次に、伸縮装置１９の伸縮部３０ａを伸ばし、連結手段２０を介して回転ドラム１２の一端２１ａを下降させる。回転ドラム１２の一端２１ａが軸受まで下降したならば、固定ピン２５により一端２１ａの上下動を拘束する。こうして、処理槽１１と回転ドラム１２との間隙に海苔養殖網１を容易に通し、養生処理作業を開始することができる。
【００２７】
海苔養殖網１を回転ドラム１２の上流側でガイドロール１８の上に載せる。第１牽引部材１３の第１ガイド溝１３ａに海苔養殖網１の外側のロープの一方を係合させ、第２牽引部材１４の第２ガイド溝１４ａに外側のロープの他方を係合させる。さらに、各ガイド部１８ａに各ロープを位置付ける。第１モータ１５を回転させて回転ドラム１２および第１牽引部材１３を回転させ、第２モータ１６を回転させて第２牽引部材１４を回転させる。このとき、第１牽引部材１３の回転とともに一方のロープが牽引され、第２牽引部材１４の回転とともに他方のロープが牽引される。それにより、海苔養殖網１が回転ドラム１２の回転とともに処理槽１１の内部に送られて、処理剤２で養生処理される。ガイドロール１８は、ロール用油圧モータ１８ｃにより、回転ドラム１２と同じ方向に回転させる。
【００２８】
作業中、特に波が高いときや風が強いときなど、回転とともに回転ドラム１２での海苔養殖網１の位置が徐々にずれやすい。このとき、速度操作部１７を操作して第２牽引部材１４の回転速度を調節することにより、係合するロープの牽引速度を変えて海苔養殖網１のずれを直すことができる。このため、従来、ずれを直すために回転ドラム１２の両端付近に配置していた作業員が不要となり、その人件費の削減を図ることができる。例えば、従来、海苔養殖網１の養生処理作業には、モータを回転させる作業員、および回転ドラム１２の両端付近でずれを直す作業員の最低３人が必要であった。しかしながら、この海苔養殖網の養生処理装置１０によれば、第１モータ１５、第２モータ１６および速度操作部１７を操作する作業員一人のみで養生作業を行うことができ、人件費を低減することができる。
【００２９】
特に、海苔養殖網の養生処理装置１０は、第１モータ１５の駆動、第２モータ１６の駆動および回転速度の調節、ロール用油圧モータ１８ｃの駆動を速度操作部１７により行うことができるため、移動せずに行うことができ、操作が容易である。
【００３０】
養生処理の際、ガイドロール１８は、回転しながら、海苔養殖網１の外側の２本のロープをガイド部１８ａに位置付ける。作業中、ロープが各ガイド部１８ａからずれると、螺旋山部１８ｂの回転とともに各ロープを各ガイド部１８ａへと案内して元の位置に戻すことができる。このため、ロープが各ガイド部１８ａからずれにくく、海苔養殖網１が広げられた状態で回転ドラム１２へと送られるので、養生処理の作業効率を高めることができる。
【００３１】
海苔養殖網１全体の養生処理が完了したならば、伸縮装置１９の伸縮部３０ａを縮め、シャフト２１の一端２１ａを上昇させ、海苔養殖網１を外す。図４に示すように、伸縮装置１９を使用することにより、巻き上げ装置を使用してシャフト２１を上昇させる場合に比べて、シャフト２１の一端２１ａの側を昇降させる速度が速く、作業効率が良好である。
こうして、海苔養殖網の養生処理装置１０は、海苔養殖網１の養生処理を容易にすることができる。
【図面の簡単な説明】
【００３２】
【図１】本発明の実施の形態の海苔養殖網の養生処理装置の、一部を省略して示す平面図である。
【図２】図１に示す海苔養殖網の養生処理装置を示すＡ−Ａ’線断面図である。
【図３】図１に示す海苔養殖網の養生処理装置の使用状態を示すＢ−Ｂ’線断面図である。
【図４】本発明の実施の形態の海苔養殖網の養生処理装置を示す正面図である。
【符号の説明】
【００３３】
１    海苔養殖網
２    処理剤
１０  海苔養殖網の養生処理装置
１１  処理槽
１２  回転ドラム
１３  第１牽引部材
１３ａ  第１ガイド溝
１４  第２牽引部材
１４ａ  第２ガイド溝
１５  第１モータ
１６  第２モータ
１７  速度操作部
１８  ガイドロール
１８ａ  ガイド部
１８ｂ  螺旋山部
１８ｃ  ロール用油圧モータ
１９  伸縮装置
２０  連結手段
２１  シャフト
２１ｃ  第１パイプ材
２１ｄ  第２パイプ材
２２ａ，２２ｂ  円板部材
２３  リング
２４  フレーム材
２５  固定ピン
２６  軸受
２７  回転軸
２８ａ  スプロケット
２８ｂ  巻き掛け伝動チェン
２９  支持アーム
３０  基部
【図１】
2006246825.tif 000003
【図２】
2006246825.tif 000004
【図３】
2006246825.tif 000005
【図４】
2006246825.tif 000006